(57)【要約】【課題】  特別な機材等を必要とせず、容易に調整を実施する。【解決手段】  ＰＣ１のメインバス１１に接続されたビデオボード１８では、ＣＰＵ１０からの指令に従って所定のデジタル映像信号が形成され、加算器１９を介してビデオ出力ポート２０に取り出される。このデジタル映像信号が調整用モニター２の入力ポート２１に供給され、表示パネル２５に表示された画像がカラーセンサー３によって観測され、この測定データがＰＣ１の入力ポート３４に供給される。そしてＣＰＵ１０で所望の調整値が算出され、算出された調整値がデータ出力ポート２７に供給され、さらに調整用モニター２の入力ポート２８に供給されて、レジスタ２３Ｒ、２３Ｇ、２３Ｂに書き込まれる。これによって調整用モニター２の信号調整回路２２Ｒ、２２Ｇ、２２Ｂでは、表示パネル２５に供給される映像信号のレベルや振幅が調整される。【選択図】        図１ 
2005311896.tif 000002
【特許請求の範囲】
【請求項１】
ビデオボードと、
前記ビデオボードで形成された調整用ビデオ信号を調整用モニターのビデオ入力に供給する第１の出力ポートと、
前記調整用モニターの表示面の表示を検知するカラーセンサーからの検出信号が供給される入力ポートと、
前記ビデオボードで形成された調整用ビデオ信号と前記カラーセンサーからの検出信号とを用いて前記調整用モニターの調整値を算出する手段と、
前記算出された前記調整値を前記調整用モニターの調整値入力に供給する第２の出力ポートと
を具備することを特徴とする調整装置。
【請求項２】
請求項１記載の調整装置において、
前記構成がパーソナルコンピュータ内に設けられる
ことを特徴とする調整装置。
【請求項３】
請求項２記載の調整装置において、
前記パーソナルコンピュータ内で形成された表示用ビデオ信号を前記調整用ビデオ信号に重畳して前記調整用モニターの表示面に表示する
ことを特徴とする調整装置。
【請求項４】
パーソナルコンピュータ内にビデオボードを有し、
前記ビデオボードで形成された調整用ビデオ信号を前記パーソナルコンピュータの第１の出力ポートを通じて調整用モニターのビデオ入力に供給すると共に、
前記調整用モニターの表示面の表示を検知するカラーセンサーからの検出信号を前記パーソナルコンピュータの入力ポートに供給し、
前記ビデオボードで形成された調整用ビデオ信号と前記カラーセンサーからの検出信号とを用いて前記調整用モニターの調整値を前記パーソナルコンピュータ内で算出し、
前記パーソナルコンピュータ内で算出された前記調整値を前記パーソナルコンピュータの第２の出力ポートを通じて前記調整用モニターの調整値入力に供給する
ことを特徴とする調整方法。
【請求項５】
請求項４記載の調整方法において、
前記パーソナルコンピュータ内で形成された表示用ビデオ信号を前記調整用ビデオ信号に重畳して前記調整用モニターの表示面に表示する
ことを特徴とする調整方法。
【請求項６】
ビデオボードを有するパーソナルコンピュータに設けられる調整プログラムであって、
前記ビデオボードで形成された調整用ビデオ信号を前記パーソナルコンピュータの第１の出力ポートを通じて調整用モニターのビデオ入力に供給する手段と、
前記調整用モニターの表示面の表示を検知するカラーセンサーからの検出信号を前記パーソナルコンピュータの入力ポートから取得する手段と、
前記ビデオボードで形成された調整用ビデオ信号と前記カラーセンサーからの検出信号とを用いて前記調整用モニターの調整値を前記パーソナルコンピュータ内で算出する手段と、
前記パーソナルコンピュータ内で算出された前記調整値を前記パーソナルコンピュータの第２の出力ポートを通じて前記調整用モニターの調整値入力に供給する手段と
を具備することを特徴とする調整プログラム。
【請求項７】
請求項６記載の調整プログラムにおいて、
前記パーソナルコンピュータ内で形成された表示用ビデオ信号を前記調整用ビデオ信号に重畳して前記調整用モニターの表示面に表示する手段を具備する
ことを特徴とする調整プログラム。
【発明の詳細な説明】
【技術分野】
【０００１】
本発明は、例えばパーソナルコンピュータ用のカラーモニターの調整に使用して好適な調整装置、調整方法及び調整プログラムに関する。詳しくは、例えばパーソナルコンピュータに内蔵されるビデオボードを利用して良好な調整が行われるようにしたものである。
【背景技術】
【０００２】
従来の、例えば放送局用のカラーモニターにおいては、調整回路を内蔵し、外付けのカラープローブを用いて調整することが行われている（例えば、特許文献１参照。）。
【０００３】
また、高価なカラープローブに代えて、フォトダイオードを用いた簡易な手段によるカラーセンサーを形成するようにしているものもある（例えば、特許文献２参照。）。
【０００４】
【特許文献１】特公平６−９１６７３号公報
【特許文献２】特開平１０−１６４６２４号公報
【発明の開示】
【発明が解決しようとする課題】
【０００５】
例えばパーソナルコンピュータ用のカラーモニターにおいては、陰極線管や液晶ディスプレイを用いるものが実施されているが、いずれの装置においても経年変化等によって、特にホワイトバランスに変動を生じることが避けられない。しかしながら、このようなホワイトバランスの変動は、特に安定した色再現性の求められるパーソナルコンピュータ用のカラーモニターにおいては、極めて重要な問題となるものである。
【０００６】
ところで、例えば放送局用のカラーモニターにおいても、同様に安定した色再現性が求められる。そこで放送局用のカラーモニターにおいては、従来から表示された画面を観測してホワイトバランスを調整することが行われている。すなわち、上述の特許文献１は、そのような放送局用のカラーモニターにおけるホワイトバランスの調整に関する技術が開示されたものである。
【０００７】
ところが、上述の特許文献１に開示された技術では、カラーモニターの内部に調整用の特殊な回路装置を設けるものである。このため、放送局用のカラーモニター等においては実施可能であるものの、例えば民生用のパーソナルコンピュータに使用されるカラーモニターにおいては、調整用の特殊な回路装置を設けることによる製造価格の上昇などによって、この技術を容易には実施することができないものである。
【０００８】
また、例えば図５に示すような外付けのカラープローブ５１とカラーアナライザー５２を用いて、調整用モニター５３のホワイトバランス調整を行う技術も提案されている。
【０００９】
すなわち図５において、パーソナルコンピュータ（以下、ＰＣと略称する）５４に内蔵された信号発生器５５で調整用信号が発生され、発生された調整用信号が調整用モニター５３に供給される。さらに、調整用モニター５３の表示面にカラープローブ５１が密着され、このカラープローブ５１で観測された信号がカラーアナライザー５２に供給される。そしてカラーアナライザー５２で測定された測定データがＰＣ５４に供給される。
【００１０】
これによりＰＣ５４では、上述の信号発生器５５で発生された調整用信号と、カラーアナライザー５２で測定された測定データとが比較される。そしてこれらの比較演算によって、調整用モニター５３に内蔵の画質調整用レジスタ（図示せず）で画質を調整するためのコントロールデータが算出される。さらに、算出されたレジスタコントロールデータが調整用モニター５３に供給されて、画質調整用レジスタに記憶される。
【００１１】
このようにして、例えばホワイトバランスの調整が行われる。また、この調整に伴って形成される調整完了等の情報は、ＰＣ５４に内蔵されたビデオボード５６で表示用信号に変換される。そして、この表示用信号が表示用モニター５７に供給されて、この表示用モニター５７に上述の調整に伴う情報等の表示が行われる。
【００１２】
しかしながら、この提案された技術においても、外付けのカラープローブ５１やカラーアナライザー５２等の高価な装置が必要とされ、この他にもパーソナルコンピュータ（ＰＣ）５４や表示用モニター５７等を用いるために、これを容易に実施することができないものであった。このため従来は、調整用モニター５３をサービスに引き取って調整する等の手段が取られ、コストや時間、場所等の経費が多く発生していた。
【００１３】
この出願はこのような点に鑑みて成されたものであって、解決しようとする問題点は、従来の装置では、モニターの調整のためには高価な機材や多くの装置が必要とされ、容易に調整を実施することができなかったというものである。
【課題を解決するための手段】
【００１４】
このため本発明においては、例えばパーソナルコンピュータに内蔵されるビデオボードと、ソフトウェアでの演算を用いて調整を行うようにしたものであって、これによれば、簡易なカラーセンサーとパーソナルコンピュータの本体のみで調整を行うことができ、特別な機材等を必要とせず、容易に調整を実施することができる。
【発明の効果】
【００１５】
請求項１に記載の発明による調整装置によれば、ビデオボードと、ビデオボードで形成された調整用ビデオ信号を調整用モニターのビデオ入力に供給する第１の出力ポートと、調整用モニターの表示面の表示を検知するカラーセンサーからの検出信号が供給される入力ポートと、ビデオボードで形成された調整用ビデオ信号とカラーセンサーからの検出信号とを用いて調整用モニターの調整値を算出する手段と、算出された調整値を調整用モニターの調整値入力に供給する第２の出力ポートとを具備することによって、特別な機材等を必要とせず、容易に調整を実施することができるものである。
【００１６】
また、請求項２に記載の発明による調整装置によれば、構成がパーソナルコンピュータ内に設けられることによって、調整を極めて容易に行うことができるものである。
【００１７】
請求項３に記載の発明による調整装置によれば、パーソナルコンピュータ内で形成された表示用ビデオ信号を調整用ビデオ信号に重畳して調整用モニターの表示面に表示することによって、特別な表示用モニターを不要にすることができるものである。
【００１８】
さらに請求項４に記載の発明による調整方法によれば、パーソナルコンピュータ内にビデオボードを有し、ビデオボードで形成された調整用ビデオ信号をパーソナルコンピュータの第１の出力ポートを通じて調整用モニターのビデオ入力に供給すると共に、調整用モニターの表示面の表示を検知するカラーセンサーからの検出信号をパーソナルコンピュータの入力ポートに供給し、ビデオボードで形成された調整用ビデオ信号とカラーセンサーからの検出信号とを用いて調整用モニターの調整値をパーソナルコンピュータ内で算出し、パーソナルコンピュータ内で算出された調整値をパーソナルコンピュータの第２の出力ポートを通じて調整用モニターの調整値入力に供給することによって、特別な機材等を必要とせず、容易に調整を実施することができるものである。
【００１９】
また、請求項５に記載の発明による調整方法によれば、パーソナルコンピュータ内で形成された表示用ビデオ信号を調整用ビデオ信号に重畳して調整用モニターの表示面に表示することによって、特別な表示用モニターを不要にすることができるものである。
【００２０】
さらに請求項６に記載の発明による調整プログラムによれば、ビデオボードを有するパーソナルコンピュータに設けられるものであって、ビデオボードで形成された調整用ビデオ信号をパーソナルコンピュータの第１の出力ポートを通じて調整用モニターのビデオ入力に供給する手段と、調整用モニターの表示面の表示を検知するカラーセンサーからの検出信号をパーソナルコンピュータの入力ポートから取得する手段と、ビデオボードで形成された調整用ビデオ信号とカラーセンサーからの検出信号とを用いて調整用モニターの調整値をパーソナルコンピュータ内で算出する手段と、パーソナルコンピュータ内で算出された調整値をパーソナルコンピュータの第２の出力ポートを通じて調整用モニターの調整値入力に供給する手段とを具備することによって、特別な機材等を必要とせず、容易に調整を実施することができるものである。
【００２１】
また、請求項７に記載の発明による調整プログラムによれば、パーソナルコンピュータ内で形成された表示用ビデオ信号を調整用ビデオ信号に重畳して調整用モニターの表示面に表示する手段を具備することによって、特別な表示用モニターを不要にすることができるものである。
【００２２】
これによって、従来の装置では、モニターの調整のためには高価な機材や多くの装置が必要とされ、容易に調整を実施することができなかったものを、本発明によればこれらの問題点を容易に解消することができるものである。
【発明を実施するための最良の形態】
【００２３】
以下、図面を参照して本発明の実施の形態について説明する。図１は本発明による調整装置、調整方法及び調整プログラムを適用した調整装置及び調整用モニターの一実施形態の構成を示すブロック図である。
【００２４】
図１において、図面の下部には、パーソナルコンピュータ（以下、ＰＣと略称する）１の構成を示す。すなわちこのＰＣ１にはＣＰＵ１０が設けられ、ＣＰＵ１０のメインバス１１に、ＲＯＭ１２、ＲＡＭ１３、ＦＤＤ１４、ＨＤＤ１５等が接続される。また、メインバス１１には、インターフェース（以下、Ｉ／Ｆと略称する）１６を介してキーボード１７が接続され、これらによってＰＣ１が形成される。
【００２５】
さらに、メインバス１１にはビデオボード１８が接続され、このビデオボード１８ではＣＰＵ１０からの指令に従って所定のデジタル映像信号が形成される。このデジタル映像信号が加算器１９を介してビデオ出力ポート２０に取り出される。そして、この取り出されたデジタル映像信号は、図面の上部に示される調整用モニター２の入力ポート２１に供給される。
【００２６】
この調整用モニター２においては、入力ポート２１に供給されたデジタル映像信号が、それぞれ三原色（Ｒ、Ｇ、Ｂ）の信号調整回路２２Ｒ、２２Ｇ、２２Ｂに供給される。これらの信号調整回路２２Ｒ、２２Ｇ、２２Ｂは、それぞれが乗算若しくは加算を行う演算回路であって、後述するレジスタ２３Ｒ、２３Ｇ、２３Ｂに書き込まれる調整値によって乗算若しくは加算が行われ、デジタル映像信号の調整が行われるものである。
【００２７】
そして信号調整回路２２Ｒ、２２Ｇ、２２Ｂからのそれぞれ調整されたデジタル映像信号が、それぞれＤ／Ａ変換回路２４Ｒ、２４Ｇ、２４Ｂでデジタル信号からアナログ信号に変換されて、表示パネル２５に供給される。これによって表示パネル２５には、ＣＰＵ１０からの指令に従ってビデオボード１８で形成された所定のデジタル映像信号に相当する画像が表示される。
【００２８】
さらに、この表示パネル２５に表示された画像が、表示パネル２５の表示面に密着して設けられたカラーセンサー３によって観測される。すなわち、カラーセンサー３内の三原色（Ｒ、Ｇ、Ｂ）のフォトダイオード３１Ｒ、３１Ｇ、３１Ｂでそれぞれの色の発光量が観測され、それらの情報がマルチプレクサ３２で時分割の情報にされて、Ａ／Ｄ変換回路３３でアナログ信号からデジタル信号に変換される。
【００２９】
この変換されたデジタル信号が測定データとして取り出され、さらにこの測定データがＰＣ１の入力ポート３４に供給される。ここで入力ポート３４には、例えばＵＳＢポートが用いられる。そして入力ポート３４に入力された測定データは、Ｉ／Ｆ３５を通じてメインバス１１に供給され、ＣＰＵ１０での処理が行われる。このＣＰＵ１０では、例えばビデオボード１８に対する指令のデータと比較によって所望の調整値が算出される。
【００３０】
このようにして算出された調整値が、メインバス１１からＩ／Ｆ２６を通じてデータ出力ポート２７に供給され、さらに調整用モニター２の入力ポート２８に供給されて、上述のレジスタ２３Ｒ、２３Ｇ、２３Ｂに書き込まれる。これによって信号調整回路２２Ｒ、２２Ｇ、２２Ｂでは、それぞれ乗算若しくは加算される値が変更され、表示パネル２５に供給される映像信号のレベルや振幅が調整される。
【００３１】
すなわち、ＣＰＵ１０では、上述のビデオボード１８に対する指令のデータによって、本来カラーセンサー３によって観測される測定データの値を予測することができる。そこでこの予測値と測定データとを比較することによって、表示パネル２５での発光量が本来値より大きいか小さいかを知ることができ、この判断に応じて上述のレジスタ２３Ｒ、２３Ｇ、２３Ｂに書き込まれる調整値を決定することができる。
【００３２】
そして上述の調整値が決定されたときは、ＣＰＵ１０から所定の指令がメインバス１１を通じてキャラクタージェネレータ２９に供給され、このキャラクタージェネレータ２９で形成されたデジタル映像信号が加算器１９に供給されて、ビデオボード１８からのデジタル映像信号に重畳される。これによって、ＣＰＵ１０からの所定の指令に従った画像が、調整用モニター２の表示パネル２５に表示される。
【００３３】
さらに上述の処理について、図２のフローチャートを用いて説明する。すなわち図２において、処理がスタートされると、ステップＳ１でＶＧＡコントロールが行われる。これによってステップＳ１１で基準パターンが作成されて、ステップＳ１２でモニターに出力される。これに対して、ステップＳ２でデータが測定され、ステップＳ３で合否が判定される。そしてステップＳ３での判定がＮＧの場合は、ステップＳ４でモニターレジスタがコントロールされ、モニターが補正されてステップＳ１に戻される。またステップＳ３での判定がＯＫの場合は、処理は終了される。
【００３４】
このようにして、ステップＳ３での判定がＯＫになるまで、ステップＳ１〜Ｓ４の処理が繰り返される。これによって、表示パネル２５での発光量が正しくなるように、レジスタ２３Ｒ、２３Ｇ、２３Ｂに書き込まれる調整値が設定される。なお、上述の計算を行う際には、例えば特許文献２に記載されているフォトダイオード３１Ｒ、３１Ｇ、３１Ｂのばらつきに対する処理もあわせて行うことができる。
【００３５】
したがってこの実施形態において、例えばパーソナルコンピュータに内蔵されるビデオボードと、ソフトウェアでの演算を用いて調整を行うようにしたので、簡易なカラーセンサーとパーソナルコンピュータの本体のみで調整を行うことができ、特別な機材等を必要とせず、容易に調整を実施することができる。
【００３６】
これによって、従来の装置では、モニターの調整のためには高価な機材や多くの装置が必要とされ、容易に調整を実施することができなかったものを、本発明によればこれらの問題点を容易に解消することができるものである。
【００３７】
すなわち上述の実施形態においては、例えば図３に示すように、パーソナルコンピュータ（ＰＣ）１の出力を調整用モニター２に供給し、この調整用モニター２の表示面にカラーセンサー３を密着して設け、このカラーセンサー３からの測定データを、ＰＣ１の例えばＵＳＢ端子に供給することによって調整が実施される。したがって、実施に当っては、ＰＣ１の本体とカラーセンサー３のみの用意で、極めて簡便に調整を行うことができる。
【００３８】
また、図４に示すようにＰＣ１から調整用モニター２へは、調整用信号に表示用信号を重畳して供給することにより、ＰＣ１で形成される所定の指令に従った画像が、調整用モニター２に表示される。これによって、例えば従来の技術として図５に示したような表示用モニターを別個に設ける必要もなく、本発明の実施をさらに容易に行うことができるものである。
【００３９】
さらに本発明は、例えば図２のフローチャートに示すような調整方法をプログラム化して記録媒体に記録し、このような調整プログラムの記録された記録媒体を、例えばＦＤＤ１４を通じてＰＣ１に導入することができるものであって、したがって本発明は、調整方法、若しくは調整プログラムとしても実施されるものである。
【００４０】
こうして上述の調整装置によれば、ビデオボードと、ビデオボードで形成された調整用ビデオ信号を調整用モニターのビデオ入力に供給する第１の出力ポートと、調整用モニターの表示面の表示を検知するカラーセンサーからの検出信号が供給される入力ポートと、ビデオボードで形成された調整用ビデオ信号とカラーセンサーからの検出信号とを用いて調整用モニターの調整値を算出する手段と、算出された調整値を調整用モニターの調整値入力に供給する第２の出力ポートとを具備することによって、特別な機材等を必要とせず、容易に調整を実施することができるものである。
【００４１】
また、上述の調整方法によれば、パーソナルコンピュータ内にビデオボードを有し、ビデオボードで形成された調整用ビデオ信号をパーソナルコンピュータの第１の出力ポートを通じて調整用モニターのビデオ入力に供給すると共に、調整用モニターの表示面の表示を検知するカラーセンサーからの検出信号をパーソナルコンピュータの入力ポートに供給し、ビデオボードで形成された調整用ビデオ信号とカラーセンサーからの検出信号とを用いて調整用モニターの調整値をパーソナルコンピュータ内で算出し、パーソナルコンピュータ内で算出された調整値をパーソナルコンピュータの第２の出力ポートを通じて調整用モニターの調整値入力に供給することによって、特別な機材等を必要とせず、容易に調整を実施することができるものである。
【００４２】
さらに上述の調整プログラムによれば、ビデオボードを有するパーソナルコンピュータに設けられるものであって、ビデオボードで形成された調整用ビデオ信号をパーソナルコンピュータの第１の出力ポートを通じて調整用モニターのビデオ入力に供給する手段と、調整用モニターの表示面の表示を検知するカラーセンサーからの検出信号をパーソナルコンピュータの入力ポートから取得する手段と、ビデオボードで形成された調整用ビデオ信号とカラーセンサーからの検出信号とを用いて調整用モニターの調整値をパーソナルコンピュータ内で算出する手段と、パーソナルコンピュータ内で算出された調整値をパーソナルコンピュータの第２の出力ポートを通じて調整用モニターの調整値入力に供給する手段とを具備することによって、特別な機材等を必要とせず、容易に調整を実施することができるものである。
【００４３】
なお本発明は、上述の説明した実施形態に限定されるものではなく、本発明の精神を逸脱することなく種々の変形が可能とされるものである。
【図面の簡単な説明】
【００４４】
【図１】本発明による調整装置、調整方法及び調整プログラムを適用した調整装置及び調整用モニターの一実施形態の構成を示すブロック図である。
【図２】その動作の説明のためのフローチャート図である。
【図３】その説明のための図である。
【図４】その説明のための図である。
【図５】従来の技術の説明のための図である。
【符号の説明】
【００４５】
１…パーソナルコンピュータ（ＰＣ）、２…調整用モニター、３…カラーセンサー、１０…ＣＰＵ、１１…メインバス、１２…ＲＯＭ、１３…ＲＡＭ、１４…ＦＤＤ、１５…ＨＤＤ、１６，２６，３５…インターフェース（Ｉ／Ｆ）、１７…キーボード、１８…ビデオボード、１９…加算器、２０…ビデオ出力ポート、２１，２８,３４…入力ポート、２２Ｒ，２２Ｇ，２２Ｂ…信号調整回路、２３Ｒ，２３Ｇ，２３Ｂ…レジスタ、２４Ｒ，２４Ｇ，２４Ｂ…Ｄ／Ａ変換回路、２５…表示パネル、２７…データ出力ポート、２９…キャラクタージェネレータ、３１Ｒ，３１Ｇ，３１Ｂ…フォトダイオード、３２…マルチプレクサ、３３…Ａ／Ｄ変換回路
【図１】
2005311896.tif 000003
【図２】
2005311896.tif 000004
【図３】
2005311896.tif 000005
【図４】
2005311896.tif 000006
【図５】
2005311896.tif 000007